(57)【要約】【課題】良好な操作性を維持しつつ高品質な撮像装置を提供する。【解決手段】撮像装置（１００）は、撮像光学系を介して形成された光学像を光電変換する撮像素子（１０１）と、外部機器（３００）を取り付けるための取付部（１１２）と、使用者が把持するための把持部（１０６）と、外部機器と電気的に接続するための接続部（１０５）と、電力を供給するための電池（２００）とを有し、電池は、撮像素子よりも把持部に近い位置に配置されており、接続部は、取付部よりも把持部に近い位置に配置されている。【選択図】図１
2020182044.tif 000002
【特許請求の範囲】
【請求項１】
撮像光学系を介して形成された光学像を光電変換する撮像素子と、
外部機器を取り付けるための取付部と、
使用者が把持するための把持部と、
前記外部機器と電気的に接続するための接続部と、
電力を供給するための電池と、を有し、
前記電池は、前記撮像素子よりも把持部に近い位置に配置されており、
前記接続部は、前記取付部よりも前記把持部に近い位置に配置されていることを特徴とする撮像装置。
【請求項２】
前記接続部は、前記撮像装置に収納された前記電池を充電するための電力を前記外部機器から供給可能であることを特徴とする請求項１に記載の撮像装置。
【請求項３】
前記電池は、前記撮像素子の光軸よりも前記把持部に近い位置に配置されていることを特徴とする請求項１または２に記載の撮像装置。
【請求項４】
撮像光学系を介して形成された光学像を光電変換する撮像素子と、
外部機器を取り付けるための取付部と、
使用者が把持するための把持部と、
前記外部機器と電気的に接続するための接続部と、
前記撮像素子から出力された電気信号を画像データに変換する画像処理部と、を有し、
前記画像処理部は、前記撮像素子よりも把持部に近い位置に配置されており、
前記接続部は、前記取付部よりも前記把持部に近い位置に配置されていることを特徴とする撮像装置。
【請求項５】
前記接続部は、前記画像データを前記外部機器に出力可能であることを特徴とする請求項４に記載の撮像装置。
【請求項６】
撮像光学系を介して形成された光学像を光電変換する撮像素子と、
外部機器を取り付けるための取付部と、
使用者が把持するための把持部と、
前記外部機器と電気的に接続するための接続部と、
電力を供給するための電池と、
前記撮像素子から出力された電気信号を画像データに変換する画像処理部と、を有し、
前記把持部に近い側から順に、前記電池と前記画像処理部とが配置されており、
前記電池は、前記撮像素子よりも把持部に近い位置に配置されており、
前記画像処理部は、前記撮像素子よりも把持部に近い位置に配置されており、
前記接続部は、前記取付部よりも前記把持部に近い位置に配置されていることを特徴とする撮像装置。
【請求項７】
前記接続部は、前記電池に接続される電源端子と、前記画像処理部に接続される信号端子と、を有し、
前記電源端子は、前記信号端子よりも把持部に近い位置に配置されていることを特徴とする請求項６に記載の撮像装置。
【請求項８】
前記取付部は、前記撮像装置の天面部に配置されていることを特徴とする請求項１乃至７のいずれか１項に記載の撮像装置。
【請求項９】
前記接続部の挿抜方向は、前記撮像装置の側面側に傾いていることを特徴とする請求項８に記載の撮像装置。
【請求項１０】
前記接続部の挿抜方向は、前記撮像装置の前面側に傾いていることを特徴とする請求項８に記載の撮像装置。
【発明の詳細な説明】
【技術分野】
【０００１】
本発明は、外部機器との接続用コネクタを備えた撮像装置に関する。
【背景技術】
【０００２】
従来、撮像装置の駆動や撮像装置に装着されている電池の充電を行うため、外部から電力を供給する外部電源や、撮像装置で撮影した画像データを保存するための外部記録媒体等の外部機器がある。また、これらの外部機器を撮像装置に接続するためのコネクタを備えた撮像装置がある。外部機器は、コネクタに対応するプラグを有するケーブルを備えている。このプラグをコネクタに接続することで、外部機器と撮像装置とを接続することができる。この接続によって、外部機器と撮像装置との間で電力やデータの授受を行うことができる。
【０００３】
例えば、特許文献１には、本体に対して開閉及び回転可能な画像表示部の端面に外部端子（コネクタ）を設けて操作性を向上させた撮像装置が開示されている。
【先行技術文献】
【特許文献】
【０００４】
【特許文献１】特開２００９−２６０４９３号公報
【発明の概要】
【発明が解決しようとする課題】
【０００５】
ところで、外部機器から供給される電力によって撮像装置内に収納されている電池を充電する場合、コネクタと電池や電池が接続される電池接続用コネクタとの距離が近い方が配線を簡素化かつ短縮化することができ、電力の損失が少なくなるため、充電効率が良い。また、外部機器に撮像装置で撮影した画像を保存する場合、画像を生成する画像処理部とコネクタとの距離が近い方が配線を簡素化かつ短縮化することができる。その結果、通信速度の向上および信号の劣化の抑制を図ることができるため、通信品質が向上する。
【０００６】
しかしながら、特許文献１に開示された撮像装置では、本体に電池や画像処理部を設けた場合、良好な操作性を維持しようとすると、電池や画像処理部からコネクタまでの距離が離れてしまう。このため、配線が複雑化するとともに、充電効率や通信速度および通信品質が低下し、良好な操作性を維持しつつ高品質な撮像装置を提供することができない。
【０００７】
そこで本発明は、良好な操作性を維持しつつ高品質な撮像装置を提供することを目的とする。
【課題を解決するための手段】
【０００８】
本発明の一側面としての撮像装置は、撮像光学系を介して形成された光学像を光電変換する撮像素子と、外部機器を取り付けるための取付部と、使用者が把持するための把持部と、前記外部機器と電気的に接続するための接続部と、電力を供給するための電池とを有し、前記電池は、前記撮像素子よりも把持部に近い位置に配置されており、前記接続部は、前記取付部よりも前記把持部に近い位置に配置されている。
【０００９】
本発明の他の側面としての撮像装置は、撮像光学系を介して形成された光学像を光電変換する撮像素子と、外部機器を取り付けるための取付部と、使用者が把持するための把持部と、前記外部機器と電気的に接続するための接続部と、前記撮像素子から出力された電気信号を画像データに変換する画像処理部とを有し、前記画像処理部は、前記撮像素子よりも把持部に近い位置に配置されており、前記接続部は、前記取付部よりも前記把持部に近い位置に配置されている。
【００１０】
本発明の他の側面としての撮像装置は、撮像光学系を介して形成された光学像を光電変換する撮像素子と、外部機器を取り付けるための取付部と、使用者が把持するための把持部と、前記外部機器と電気的に接続するための接続部と、電力を供給するための電池と、前記撮像素子から出力された電気信号を画像データに変換する画像処理部とを有し、前記把持部に近い側から順に、前記電池と前記画像処理部とが配置されており、前記電池は、前記撮像素子よりも把持部に近い位置に配置されており、前記画像処理部は、前記撮像素子よりも把持部に近い位置に配置されており、前記接続部は、前記取付部よりも前記把持部に近い位置に配置されている。
【００１１】
本発明の他の目的及び特徴は、以下の実施形態において説明される。
【発明の効果】
【００１２】
本発明によれば、良好な操作性を維持しつつ高品質な撮像装置を提供することができる。
【図面の簡単な説明】
【００１３】
【図１】第１の実施形態における撮像装置のブロック図である。
【図２】第１の実施形態における撮像装置に外部機器を取り付けた状態を示す背面図である。
【図３】図２中の線Ａ−Ａに沿った断面図である。
【図４】図２中の線Ｂ−Ｂに沿った断面図である。
【図５】第１の実施形態における撮像装置に外部機器を取り付けた状態を示す背面斜視図である。
【図６】第１の実施形態における撮像装置に外部機器を取り外した状態を示す背面斜視図である。
【図７】図３中の領域Ｃの部分拡大図である。
【図８】第１の実施形態における撮像装置の上面図である。
【図９】図８中の線Ｄ−Ｄに沿った断面図である。
【図１０】第１の実施形態における撮像装置の蓋部材が閉じた時の状態を示す背面斜視図である。
【図１１】第２の実施形態における撮像装置に外部機器を取り付けた状態を示す背面図である。
【図１２】図１１中の線Ｅ−Ｅに沿った断面図である。
【図１３】図１１中の線Ｆ−Ｆに沿った断面図である。
【図１４】第２の実施形態における撮像装置の上面図である。
【発明を実施するための形態】
【００１４】
以下、本発明の実施形態について、図面を参照しながら詳細に説明する。
【００１５】
（第１の実施形態）
まず、図１を参照して、本発明の第１の実施形態における撮像装置１００について説明する。図１は、撮像装置１００のブロック図である。撮像装置１００は、ＣＭＯＳセンサやＣＣＤセンサなどの撮像素子１０１を有する。撮像素子１０１は、レンズ装置（撮像光学系）４００を介して形成された光学像（被写体像）を光電変換し、光学像に応じた画像信号を出力する。なお本実施形態において、レンズ装置４００はカメラ本体である撮像装置１００に着脱可能な交換レンズである。ただし本発明は、これに限定されるものではなく、カメラ本体とレンズ装置４００とが一体的に構成された撮像装置にも適用可能である。
【００１６】
撮像素子１０１から出力された画像信号は、画像処理部１０２に伝達される。画像処理部１０２では、画像信号に所定の画像処理を施して、画像データを生成する。撮像装置１００は、着脱可能な電池２００が装着可能である。電池２００は、撮像装置１００に装着された状態（電池収納部に収納された状態）において、撮像装置１００が有する電池接続用コネクタ１０３に接続される。この状態において、電池２００は、電池接続用コネクタ１０３を介して、電力制御部１０４に電力を供給する。電力制御部１０４は、電池２００から供給された電力を撮像素子１０１や画像処理部１０２などの撮像装置１００内の種々の電気部品に振り分けて供給し、駆動させる。
【００１７】
撮像装置１００は、外部機器３００と接続可能な外部機器接続用コネクタ（接続部）１０５を有する。外部機器３００は、外部機器３００から他の機器への電力の供給、外部機器３００内へ他の機器からの画像データの保存のいずれか一方またはこの両方が可能な機器である。外部機器３００を外部機器接続用コネクタ１０５に接続することによって、外部機器３００から撮像装置１００への電力の供給や、撮像装置１００で撮影した画像を外部機器３００に保存のいずれか一方またはこの両方が可能となる。外部機器３００から撮像装置１００への電力の供給は、外部機器３００から、外部機器接続用コネクタ１０５を介して、電力制御部１０４に電力を供給することによって可能となる。電力制御部１０４は、外部機器３００から供給された電力を、必要に応じて、電池接続用コネクタ１０３を経由して電池２００に供給して電池２００を充電する。または、電力制御部１０４は、画像の撮影等を行うために必要な電力を撮像素子１０１や画像処理部１０２に供給し、これらを駆動する。撮像装置１００で撮影した画像の外部機器３００への保存は、画像処理部１０２で生成された画像データを、外部機器接続用コネクタ１０５を介して外部機器３００に送信することによって可能となる。ファインダ用表示部１０８は、画像処理部１０２から出力された画像データを表示する。
【００１８】
次に、図２乃至図６を参照し、本実施形態における撮像装置１００の具体的構成について説明する。図２は、撮像装置１００に外部機器３００を取り付けた状態を示す背面図である。図３および図４はそれぞれ、図２中の線Ａ−Ａおよび線Ｂ−Ｂに沿った断面図である。図５および図６はそれぞれ、撮像装置１００に外部機器３００を取り付けた状態および取り外した状態を示す背面斜視図である。
【００１９】
図２乃至図６に示されるように、撮像装置１００は、使用者が撮像装置を把持するための把持部１０６とファインダ部１０７とを有する。ファインダ部１０７を覗くと図１で示すファインダ用表示部１０８を確認することができる。ファインダ用表示部１０８は、図１で示すように画像処理部１０２から出力された画像データが送られ、この画像データを表示することができる。従って、使用者はファインダ部１０７を覗くと撮像素子１０１で撮影されている画像データを確認することができる。
【００２０】
図３および図４に示されるように、電池２００は、撮像装置１００に装着される際には、撮像装置１００の把持部１０６の内部に収納することが好ましい。撮像装置１００は、撮像する際に大きな電力を必要とする。従って、ある程度の枚数を撮影可能にするには、比較的大きなサイズの電池２００が必要となる。把持部１０６は、握りやすさを確保するため、比較的大きな形状が必要となる。このため、把持部１０６の内部には比較的大きな空間が生じる。把持部１０６の内部の空間に電池２００を収納することにより、大きな空間を有効に活用することができ、結果として撮像装置１００の小型化を図ることができる。
【００２１】
図３に示されるように、撮像素子１０１は、撮像素子１０１の受光面や撮像素子１０１で撮影される画像の中心である光軸１０１ａを有する。撮像素子１０１の光軸１０１ａは、撮像素子１０１が受光する光が通過するレンズ装置（撮像光学系）４００の光軸と一致する。
【００２２】
図４に示されるように、電池２００が撮像装置１００に装着された状態において、電池２００の電源接点パッド２００ａに電池接続用コネクタ１０３の電源接点バネ１０３ａが接触する。これにより、電池接続用コネクタ１０３と電池２００とが接続し、電池接続用コネクタ１０３と電池２００との間の電力の授受が可能となる。電池接続用コネクタ１０３は、電池接続用コネクタ１０３が実装されたフレキシブルプリント基板１０３ｂ、および、フレキシブルプリント基板接続用コネクタ１０９を経由して、制御基板１１０と接続される。
【００２３】
図３に示されるように、制御基板１１０には、画像処理部１０２、電力制御部１０４、外部機器接続用コネクタ１０５、および、フレキシブルプリント基板接続用コネクタ１０９が実装されている。制御基板１１０に実装された各々は、制御基板１１０内の配線により接続され、図１に示されるような各種の電力や信号の授受を行うことが可能となる。また制御基板１１０は、不図示の基板やコネクタを経由して、撮像素子１０１と接続され、制御基板１１０上に実装された画像処理部１０２や電力制御部１０４等の種々の電気部品と撮像素子１０１間の電力や信号の授受を行うことが可能である。
【００２４】
これらにより、外部機器接続用コネクタ１０５を経由して外部機器３００から供給される電力で、電池２００を充電することが可能となる。また、電池２００や外部機器３００から供給された電力で、撮像素子１０１や画像処理部１０２を駆動し、画像の撮影をすることが可能となる。加えて、撮影した画像データを画像処理部１０２から外部機器接続用コネクタ１０５を経由して外部機器３００に送ることで、撮影した画像データを外部機器３００に保存することができる。
【００２５】
また、画像処理部１０２、電力制御部１０４、外部機器接続用コネクタ１０５、および、フレキシブルプリント基板接続用コネクタ１０９を全て同一の制御基板１１０に実装することにより、別の基板に実装した場合よりも配線の簡素化かつ短縮化が可能となる。これにより、信号の通信速度の向上や、各々の素子間で電力や信号を授受する際の電力の損失や信号の劣化の抑制による、省電力化や、充電効率、信号品質の向上を図ることができる。
【００２６】
画像処理部１０２と撮像素子１０１は、互いに近傍に配置することが好ましい。このような配置により、画像処理部１０２と撮像素子１０１との間の配線が簡素化かつ短縮化される。このため、信号の通信速度の向上や、信号の劣化の抑制による信号品質の向上が可能となる。また、電池２００および電池接続用コネクタ１０３と電力制御部１０４は、互いに近傍に配置することが好ましい。このような配置により、電池２００や電池接続用コネクタ１０３と電力制御部１０４との間の配線が簡素化かつ短縮化される。このため、電池２００から電力制御部１０４への電力供給時や、外部機器３００から供給される電力を電池２００に充電する際の電力の損失を抑制でき、省電力化や、充電効率の向上が可能となる。
【００２７】
加えて、電力制御部１０４は、電池２００と画像処理部１０２や撮像素子１０１との間に配置することが好ましい。電力制御部１０４は、画像処理部１０２と撮像素子１０１にも電力を供給する必要があるため、このような構成により、配線の簡素化、短縮化ができるため、電力の損失を抑制し、省電力化が可能となる。
【００２８】
画像処理部１０２は、撮像素子１０１の光軸１０１ａよりも電池２００側に配置することが好ましい。画像処理部１０２は、撮像素子１０１よりも配置の自由度が高いため、電力制御部１０４により近づけやすい。このような配置により、画像処理部１０２と電力制御部１０４との間の配線の簡素化かつ短縮化を図ることができるため、電力の損失を抑制し、省電力化が可能となる。
【００２９】
以上のように、本実施形態において、図３に示されるように把持部１０６側から順に、電池２００および電池接続用コネクタ１０３、電力制御部１０４、画像処理部１０２、および、撮像素子１０１の光軸１０１ａの順に配置することが好ましい。これにより、各部の配線が簡素化かつ短縮化されるため、信号の通信速度の向上や電力や信号を授受する際の電力の損失や信号の劣化の抑制による省電力化や、充電効率、信号品質の向上が可能となる。
【００３０】
図２、図５、および、図６に示されるように、撮像装置１００は、天面部１１１に外部機器３００を取り付けるための取付部１１２を有する。外部機器３００は、外部機器固定用アダプター３１０を介して取付部１１２に取り付けるこができる。これにより、外部機器３００を撮像装置１００に対して固定することができる。外部機器３００は、矢印３０１の方向に、外部機器固定用アダプター３１０は矢印３１１の方向にそれぞれスライドさせることにより、外部機器固定用アダプター３１０および撮像装置１００に対してそれぞれ着脱可能である。なお本実施形態において、外部機器３００を、外部機器固定用アダプター３１０を介して撮像装置１００に取り付けるように構成されているが、外部機器３００を直接撮像装置１００に固定するように構成してもよい。
【００３１】
取付部１１２を天面部１１１に設けることにより、図５に示されるように、外部機器３００を撮像装置１００の上側に固定することができる。このような位置関係で固定することにより、使用者が把持部１０６を把持する、ファインダ部１０７を覗く等の撮影時の動作、操作を阻害しにくい位置に外部機器３００を固定することが可能となる。
【００３２】
外部機器３００は、外部機器接続用コネクタ１０５に対応するプラグ３０２を有するケーブル３０３を備えている。プラグ３０２を外部機器接続用コネクタ１０５に接続することにより、外部機器３００と撮像装置１００は電気的に接続され、電力や画像データの授受が可能となる。プラグ３０２は、外部機器接続用コネクタ１０５の挿抜方向１０５ａの方向に動かすことにより、外部機器接続用コネクタ１０５に対して着脱可能である。
【００３３】
外部機器接続用コネクタ１０５は、天面部１１１の取付部１１２よりも把持部１０６側に配置することが好ましい。このような配置により、プラグ３０２が取り付く場所が、把持部１０６を握ったり、ファインダ部１０７を覗いたりするときにプラグ３０２が使用者に接触し、邪魔をすることが無いため、撮影動作を阻害しにくい。
【００３４】
また、このような配置により、撮像素子１０１の光軸１０１ａよりも把持部１０６側に配置されている電池２００や電力制御部１０４または画像処理部１０２に比較的近い位置に、外部機器接続用コネクタ１０５を配置することができる。これにより、外部機器接続用コネクタ１０５から電力制御部１０４または画像処理部１０２への配線が簡素化かつ短縮化される。このため、信号の通信速度の向上や、電力や信号を授受する際の電力の損失や信号の劣化の抑制による、省電力化や、充電効率、信号品質の向上が可能となる。
【００３５】
加えて、取付部１１２に取り付けた外部機器３００から比較的近い距離に外部機器接続用コネクタ１０５が配置されているため、短いケーブル３０３でも外部機器接続用コネクタ１０５に接続することができる。このため、ケーブル３０３が長い場合に比べて、ケーブル３０３が動きにくくなり、例えば使用者がファインダ部１０７を覗いている際に、ケーブル３０３が使用者の顔に掛かってしまう等、ケーブル３０３が邪魔になることを抑制する。またケーブル３０３が短いため、信号の通信速度の向上や、電力や信号を授受する際の電力の損失や信号の劣化の抑制による省電力化や、充電効率、信号品質の向上が可能となる。
【００３６】
外部機器接続用コネクタ１０５の挿抜方向１０５ａは、外部機器接続用コネクタ１０５にプラグ３０２を接続した際に、図２中の矢印１０５ｂで示されるようにプラグ３０２が把持部１０６側に傾いていることが好ましい。このような構成により、外部機器接続用コネクタ１０５にプラグ３０２を接続する際に外部機器３００を避けるように挿抜することが可能となり、プラグ３０２の挿抜の際の操作性が向上する。また挿抜方向１０５ａが把持部側側面１１３側に傾いていない場合に比べて、外部機器３００を外部機器接続用コネクタ１０５により近づけて装着できるため、外部機器３００を取り付ける位置の自由度が向上する。
【００３７】
図７は、図３中の領域Ｃの部分拡大図である。外部機器接続用コネクタ１０５は、電源端子１０５ｃおよび信号端子１０５ｄを有する。電源端子１０５ｃは、制御基板１１０内の配線により電力制御部１０４と接続しており、電力制御部１０４を経由して、電池２００、撮像素子１０１、および、画像処理部１０２に接続されている。電源端子１０５ｃには、外部機器３００から電力が供給されている。従って、外部機器３００から供給された電力は、電源端子１０５ｃと電力制御部１０４を経由し、電池２００、撮像素子１０１、および画像処理部１０２に供給され、電池２００の充電、および、撮像素子１０１と画像処理部１０２の駆動が可能となる。
【００３８】
信号端子１０５ｄは、制御基板１１０内の配線により画像処理部１０２に接続されている。これにより、画像処理部１０２で生成された画像データを、信号端子１０５ｄを経由して外部機器３００に送り、画像データを外部機器３００に保存することが可能である。
【００３９】
電源端子１０５ｃは、信号端子１０５ｄよりも把持部１０６側に配置されていることが好ましい。画像処理部１０２よりも電池２００や電力制御部１０４が把持部１０６側に配置されていることにより、電源端子１０５ｃは、信号端子１０５ｄよりも把持部１０６側に配置される。これにより、制御基板１１０内の配線を簡素化かつ短縮化することができる。これにより、信号の通信速度の向上や、電力や信号を授受する際の電力の損失や信号の劣化の抑制による、省電力化や、充電効率、信号品質の向上が可能となる。
【００４０】
図８は、撮像装置１００の上面図である。図９は、図８中の線Ｄ−Ｄに沿った断面図である。撮像装置１００は、外部機器接続用コネクタ１０５にプラグ３０２を接続していない場合に外部機器接続用コネクタ１０５を保護するための蓋部材１１４を有する。図１０は、撮像装置１００において、蓋部材１１４が閉じた状態を示す背面斜視図である。このとき、外部機器接続用コネクタ１０５は外部に露出していない状態となるため、プラグ３０２を接続することはできない。一方、外部機器接続用コネクタ１０５が蓋部材１１４に覆われた状態となるため、外部機器接続用コネクタ１０５に砂塵や雨滴等の付着を防ぐことができる。これにより、外部機器接続用コネクタ１０５にプラグ３０２を接続した際の通信不良等を防ぐことができる。
【００４１】
蓋部材１１４は、円筒形状の回転ヒンジ部１１４ａおよび抜け止め部１１４ｂを有し、天面部１１１に開閉可能に取り付けられている。図１０に示される蓋部材１１４が閉じた状態から図９に示される開いた状態にするため、まず、蓋部材１１４を回転ヒンジ部１１４ａに沿って、矢印１１４ｃの方向にスライドさせる。そして抜け止め部１１４ｂが天面部１１１に突き当ると、蓋部材１１４のスライド動作が停止する。その状態で蓋部材１１４を、回転ヒンジ部１１４ａを回転軸として回転させると、図９に示されるように、蓋部材１１４が開いた状態になる。この状態で、外部機器接続用コネクタ１０５にプラグ３０２を接続することができる。本実施例において、蓋部材１１４は回転ヒンジ部１１４ａを有し、蓋部材１１４の開閉時にスライド動作と回転動作が可能であるが、これに限定されるものではない。ヒンジ部は、天面部１１１に開閉可能に取り付けられていれば、スライド動作のみが可能なもの等であってもよい。
【００４２】
天面部１１１には、使用者が回転させることで撮像時の撮像条件等を変更することが可能な水平ダイアル１１５と垂直ダイアル１１６、および、画像や動画の撮影動作の開始の指示等が可能な押しボタン１１７ａ、１１７ｂ、１１７ｃが配置されている。水平ダイアル１１５は、図９に示されるように、天面部１１１に略垂直な回転軸１１５ａを有し、天面部１１１に略平行な方向に回転させることができる操作部材である。一方、垂直ダイアル１１６は、天面部１１１に略平行な回転軸（不図示）を有し、天面部１１１に略垂直な方向に回転させることが可能な操作部材である。押しボタン１１７ａ、１１７ｂ、１１７ｃは、使用者が天面部１１１に略垂直な方向に押し込むことで操作が可能な操作部材である。
【００４３】
取付部１１２は、外部機器接続用コネクタ１０５に隣接して配置され、蓋部材１１４の回転ヒンジ部１１４ａ等のヒンジ部は、取付部１１２と外部機器接続用コネクタ１０５との間以外の場所に配置することが好ましい。このような配置により、外部機器接続用コネクタ１０５にプラグ３０２を接続するために蓋部材１１４を開けた際に、蓋部材１１４と外部機器３００とが干渉しにくくなる。また、取付部１１２と外部機器接続用コネクタ１０５との間に、水平ダイアル１１５、垂直ダイアル１１６、および、押しボタン１１７ａ、１１７ｂ、１１７ｃ等の操作部材が配置されていないことが好ましい。このような操作部材が配置されていると、外部機器接続用コネクタ１０５にプラグ３０２が接続している状態で、ケーブル３０３等が邪魔で操作部材が操作しにくくなる可能性がある。加えて、より短いケーブルでも接続可能になるため、ケーブル３０３中の信号の通信速度の向上や、電力や信号を授受する際の電力の損失や信号の劣化の抑制による省電力化や、充電効率、信号品質の向上が可能となる。
【００４４】
図８に示されるように、外部機器接続用コネクタ１０５にプラグ３０２が接続可能な蓋部材１１４が開いた状態を考える。このとき、蓋部材１１４によって覆われる領域には、垂直ダイアル１１６および押しボタン１１７ａ、１１７ｂ、１１７ｃを配置せず、水平ダイアル１１５を配置することが好ましい。垂直ダイアル１１６および押しボタン１１７ａ、１１７ｂ、１１７ｃは、蓋部材１１４により覆われると、操作時に使用者の指と蓋部材１１４が接触し、操作に支障が生じる可能性がある。一方、水平ダイアル１１５は、蓋部材１１４により覆われても、使用者の指と蓋部材１１４が接触せずに操作が可能である。従って、前述の配置とすることにより、使用者の撮影動作を阻害しない範囲内で、天面部１１１の限られたスペースを有効活用することができる。
【００４５】
（第２の実施形態）
次に、図１１乃至図１４を参照して、本発明の第２の実施形態における撮像装置について説明する。なお本実施形態においては、第１の実施形態と異なる部分のみについて説明し、第１の実施形態と同一の構成についての説明は省略する。
【００４６】
図１１乃至図１４は、本実施形態による撮像装置１００ａの説明図であり、それぞれ第１の実施形態の図２乃至図４および図８に対応している。図１１は、撮像装置１００ａに外部機器３００を取り付けた状態を示す背面図である。図１２および図１３はそれぞれ、図１１中の線Ｅ−Ｅおよび線Ｆ−Ｆに沿った断面図である。図１４は、撮像装置１００ａの上面図である。
【００４７】
図１２および図１３に示されるように、電池２００は、装着の際に、撮像素子１０１の光軸１０１ａよりも把持部１０６側に収納することが好ましい。把持部１０６は、握りやすさを確保するために比較的大きな形状が必要となるため、撮像素子１０１の光軸１０１ａよりも把持部１０６側は比較的大きな空間が生じることとなる。従って、撮像素子１０１の光軸１０１ａよりも把持部１０６側に電池２００を収納することによって、撮像装置１００内部の空間を有効に活用することができ、結果として撮像装置１００の小型化を図ることができる。
【００４８】
図１３中の矢印１０５ｅで示されるように、外部機器接続用コネクタ１０５にプラグ３０２を接続した際に、外部機器接続用コネクタ１０５の挿抜方向１０５ａは、前面１１８側に傾くように傾いていることが好ましい。このような構成により、外部機器接続用コネクタ１０５にプラグ３０２を挿した状態でケーブル３０３は、前面１１８側に垂れ下がりやすくなる。このため、使用者がファインダ部１０７を覗いた際に、ケーブル３０３が使用者の顔に接触しにくくなり、使用者の撮影動作を阻害しにくくすることができる。
【００４９】
制御基板１１０は、柔軟性があり、屈曲させることが可能な屈曲部１１０ａと柔軟性が無く、屈曲しない非屈曲部１１０ｂを有するリジッドフレキシブル基板とすることが好ましい。このような構成により、外部機器接続用コネクタ１０５の挿抜方向１０５ａが天面部１１１と前面１１８との間で傾いていた場合でも、画像処理部１０２および電力制御部１０４が実装された同一の制御基板１１０に外部機器接続用コネクタ１０５を実装可能である。これにより、別の基板に実装した場合よりも、配線が簡素化、短縮化されるため、信号の通信速度の向上や、各々の素子間で電力や信号を授受する際の電力の損失や信号の劣化の抑制による、省電力化や、充電効率、信号品質の向上が可能となる。
【００５０】
加えて、図１２および図１３に示されるように、電池接続用コネクタ１０３を制御基板１１０に実装することが好ましい。このような構成により、電力制御部１０４および電池接続用コネクタ１０３を同一の基板に実装することができる。このため、別の基板に実装した場合よりも、配線が簡素化かつ短縮化されるため、電力の損失が抑制され、省電力化や、充電効率の向上が可能となる。
【００５１】
図１４に示されるように、天面部１１１には、撮像の際の撮像条件の設定等を表示可能な天面側表示部１１９を有する。図１４は、蓋部材１１４を開け、外部機器接続用コネクタ１０５にプラグ３０２が接続された状態を示す図である。図１４に示されるように、蓋部材１１４が開いた状態で蓋部材１１４により覆われる領域には、天面側表示部１１９を配置せず、蓋部材１１４によって覆われない領域に天面側表示部１１９を配置することが好ましい。このような構成により、天面側表示部１１９が蓋部材１１４によって覆われ、天面側表示部１１９に表示された撮像条件の設定等を使用者が見づらくなり、撮影動作が阻害されるのを防ぐことができる。
【００５２】
このように各実施形態において、撮像装置１００、１００ａは、撮像素子１０１、外部機器３００を取り付ける取付部１１２、使用者が把持する把持部１０６、および、外部機器を電気的に接続する接続部（外部機器接続用コネクタ）１０５を有する。撮像素子１０１は、撮像光学系を介して形成された光学像を光電変換する。接続部は、取付部よりも把持部に近い位置に配置されている（接続部と把持部との間の距離は、取付部と把持部との間の距離よりも小さい）。
【００５３】
好ましくは、接続部は、撮像装置に収納された電池（２００）を充電するための電力を外部機器から供給可能である。より好ましくは、電池は、撮像素子よりも把持部に近い位置に配置されている。また好ましくは、電池は、撮像素子の光軸１０１ａよりも把持部に近い位置に配置されている。
【００５４】
好ましくは、撮像装置は、撮像素子から出力された電気信号を画像データに変換する画像処理部１０２を有する。接続部は、画像データを外部機器に出力可能である。より好ましくは、画像処理部は、撮像素子よりも把持部に近い位置に配置されている（画像処理部と把持部との間の距離は、撮像素子と把持部との間の距離よりも小さい）。また好ましくは、撮像装置は、把持部に近い側から順に配置された電池と画像処理部とを有する。接続部は、電池に接続される電源端子１０５ｃと、画像処理部に接続される信号端子１０５ｄとを有する。電源端子１０５ｃは、信号端子１０５ｄよりも把持部に近い位置に配置されている（電源端子と把持部との間の距離は、信号端子１０５ｄと把持部との間の距離よりも小さい）。
【００５５】
好ましくは、取付部は、撮像装置の天面部１１１に配置されている。より好ましくは、接続部の挿抜方向１０５ａは、撮像装置の側面側（把持部側側面１１３側）に傾いている。また好ましくは、接続部の挿抜方向は、撮像装置の前面側（前面１１８側）に傾いている。
【００５６】
このような構成により、各実施形態の撮像装置は、撮像装置の把持動作等の撮影動作を阻害しにくく、充電効率や通信速度、通信品質が低下しにくい。このため各実施形態によれば、良好な操作性を維持しつつ高品質な撮像装置を提供することができる。
【００５７】
以上、本発明の好ましい実施形態について説明したが、本発明はこれらの実施形態に限定されず、その要旨の範囲内で種々の変形及び変更が可能である。
【符号の説明】
【００５８】
１００  撮像装置
１０１  撮像素子
１０５  外部機器接続用コネクタ（接続部）
１０６  把持部
１１２  取付部
３００  外部機器
【図１】
2020182044.tif 000003
【図２】
2020182044.tif 000004
【図３】
2020182044.tif 000005
【図４】
2020182044.tif 000006
【図５】
2020182044.tif 000007
【図６】
2020182044.tif 000008
【図７】
2020182044.tif 000009
【図８】
2020182044.tif 000010
【図９】
2020182044.tif 000011
【図１０】
2020182044.tif 000012
【図１１】
2020182044.tif 000013
【図１２】
2020182044.tif 000014
【図１３】
2020182044.tif 000015
【図１４】
2020182044.tif 000016